【手続補正書】
【提出日】平成29年3月10日(2017.3.10)
【手続補正１】
【補正対象書類名】明細書
【補正対象項目名】０４０３
【補正方法】変更
【補正の内容】
【０４０３】
本明細書では本発明の原理を説明したが、当業者にとっては当然のことながら、この説明は例示にすぎず、本発明の範囲に関して限定するものではない。本明細書において図に示され、文章で説明された例示的実施形態に加えて、本発明の範囲の中で他の実施形態も想定される。当業者による改変や置き換えも、本発明の範囲に含まれると考えられる。
本発明の第１の態様は、
製品注出システムにおいて製品の選択および分配を制御するシステムであって、
前記製品の選択および分配を制御するシステムは流量制御装置を備え、前記流量制御装置は、
前記製品注出システムのライン内を流れる内容物の量を示す流量フィードバック信号を生成するように構成される流量測定装置と、
前記流量フィードバック信号に応答して前記流量フィードバック信号を所望の流量と比較して流量制御信号を生成するフィードバックコントローラシステムであって、前記流量制御信号の初期値を少なくとも部分的に確立するフィードフォワードコントローラを含むフィードバックコントローラシステムと、
前記注出システムの前記ライン内に位置し、前記流量制御信号に応答する可変ラインインピーダンスであって、前記流量制御信号に少なくとも部分的に基づいて前記注出システムの前記ライン内で流れる内容物の量を調整するように構成される、可変ラインインピーダンスとを備え、
前記製品の選択および分配を制御するシステムは、
選択を促進し及び前記製品を選択するユーザインタフェースと、
前記ユーザインタフェースと通信する機械制御プロセッサーと、
前記機械制御プロセッサーに接続される配電モジュールと、
前記配電モジュールを通して前記システムに電力を供給する電源ユニットとをさらに備える、システムである。
本発明の第２の態様は、
前記機械制御プロセッサーは、
マイクロプロセッサと、
通信インタフェースとをさらに備える、第１の態様に記載のシステムである。
本発明の第３の態様は、
前記機械制御プロセッサーは、前記配電モジュール及び制御論理サブシステムの制御により前記製品の前記分配を制御する、第１又は２の態様のいずれか１つ又は複数に記載のシステムである。
本発明の第４の態様は、
前記配電モジュールは、前記電源ユニットを通して前記機械制御プロセッサーに電力を提供する、第１から３の態様のいずれか１つ又は複数に記載のシステムである。
本発明の第５の態様は、
前記機械制御プロセッサーと前記ユーザインタフェースとの間の前記通信は無線通信である、第１から４の態様のいずれか１つ又は複数に記載のシステムである。
本発明の第６の態様は、
前記機械制御プロセッサーと前記ユーザインタフェースとの間の前記通信は有線通信である、第１から５の態様のいずれか１つ又は複数に記載のシステムである。
本発明の第７の態様は、
前記流量測定装置は容量移送式流量測定装置を備える、第１から６の態様のいずれか１つ又は複数に記載のシステムである。
本発明の第８の態様は、
前記容量移送式流量測定装置は歯車式容量移送式流量測定装置を備える、第１から７の態様のいずれか１つ又は複数に記載のシステムである。
本発明の第９の態様は、
前記可変ラインインピーダンスは、
第一の面を有する第一の剛性部材と、
第二の面を有する第二の剛性部材と、
少なくとも部分的に前記第一の面と前記第二の面により画定される可変断面積の流路とを備え、
前記可変断面積の流路を拡大及び縮小させるように、前記第一の面は前記第二の面に対して移動可能である、第１から８の態様のいずれか１つ又は複数に記載のシステムである。
本発明の第１０の態様は、
前記第一の面を前記第二の面に対して移動させるために、前記第一の剛性部材と前記第二の剛性部材のうち一つと連結するステッピング・モーターをさらに備える、第１から１１の態様のいずれか１つ又は複数に記載のシステムである。
本発明の第１１の態様は、
前記注出システムの前記ライン内の内容物の流れを選択的に妨げるために、前記注出システムの前記ライン内に位置するバイナリバルブをさらに備える、第１から１０の態様のいずれか１つ又は複数に記載のシステムである。
本発明の第１２の態様は、
前記可変ラインインピーダンスは、
穴を含む第一の流路部分を画定する第一の剛性部材と、
第二の流路部分を画定する第二の剛性部材と、を備え、
前記第一の流路部分と前記第二の流路部分により画定された流路を拡大及び縮小させるように、前記第一の流路部分は前記第二の流路部分に対して移動可能である、第１から１１の態様のいずれか１つ又は複数に記載のシステムである。
本発明の第１３の態様は、
製品注出システムにおいて製品の選択および分配を制御するシステムであって、
前記製品の選択および分配を制御するシステムは流量制御装置を備え、前記流量制御装置は、
前記製品注出システムのライン内を流れる内容物の量を示す流量フィードバック信号を生成するように構成される流量測定装置と、
前記流量フィードバック信号に応答して前記流量フィードバック信号と所望の流量を比較して流量制御信号を生成するフィードバックコントローラシステムであって、前記流量制御信号の初期値を少なくとも部分的に確立するフィードフォワードコントローラを含むフィードバックコントローラシステムとを備え、
前記製品の選択および分配を制御するシステムは、
選択を促進し及び前記製品を選択するユーザインタフェースと、
前記ユーザインタフェースと通信する機械制御プロセッサーと、
前記機械制御プロセッサーに接続される配電モジュールと、
前記配電モジュールを通して前記システムに電力を供給する電源ユニットとをさらに備える、システムである。
本発明の第１４の態様は、
前記機械制御プロセッサーは、
マイクロプロセッサと、
通信インタフェースとをさらに備える、第１３の態様に記載のシステムである。
本発明の第１５の態様は、
前記機械制御プロセッサーは、前記配電モジュール及び制御論理サブシステムの制御により前記製品の前記分配を制御する、第１３又は１４の態様のいずれか１つ又は複数に記載のシステムである。
本発明の第１６の態様は、
前記配電モジュールは、前記電源ユニットを通して前記機械制御プロセッサーに電力を提供する、第１３から１５の態様のいずれか１つ又は複数に記載のシステムである。
本発明の第１７の態様は、
前記機械制御プロセッサーと前記ユーザインタフェースとの間の前記通信は無線通信である、第１３から１６の態様のいずれか１つ又は複数に記載のシステムである。
本発明の第１８の態様は、
前記機械制御プロセッサーと前記ユーザインタフェースとの間の前記通信は有線通信である、第１３から１７の態様のいずれか１つ又は複数に記載のシステムである。
本発明の第１９の態様は、
前記流量測定装置は容量移送式流量測定装置を備える、第１３から１８の態様のいずれか１つ又は複数に記載のシステムである。
本発明の第２０の態様は、
前記容量移送式流量測定装置は歯車式容量移送式流量測定装置を備える、第１３から１９の態様のいずれか１つ又は複数に記載のシステムである。
本発明の第２１の態様は、
前記可変ラインインピーダンスは、
第一の面を有する第一の剛性部材と、
第二の面を有する第二の剛性部材と、
少なくとも部分的に前記第一の面と前記第二の面により画定される可変断面積の流路とを備え、
前記第一の面は前記可変断面積の流路を拡大及び縮小させるように、前記第二の面に対して移動可能である、第１３から２０の態様のいずれか１つ又は複数に記載のシステムである。
本発明の第２２の態様は、
前記第一の面を前記第二の面に対して移動させるために、前記第一の剛性部材と前記第二の剛性部材のうち一つと連結するステッピング・モーターをさらに備える、第１３から２１の態様のいずれか１つ又は複数に記載のシステムである。
本発明の第２３の態様は、
前記注出システムの前記ライン内の内容物の流れを選択的に妨げるために、前記注出システムの前記ライン内に位置するバイナリバルブをさらに備える、第１３から２２の態様のいずれか１つ又は複数に記載のシステムである。
本発明の第２４の態様は、
前記可変ラインインピーダンスは、
穴を含む第一の流路部分を画定する第一の剛性部材と、
第二の流路部分を画定する第二の剛性部材と、を備え、
前記第一の流路部分と前記第二の流路部分により画定された流路を拡大及び縮小させるように、前記第一の流路部分は前記第二の流路部分に対して移動可能である、第１３から２３の態様のいずれか１つ又は複数に記載のシステムである。
本発明の第２５の態様は、
前記注出システムの前記ライン内に位置し、前記流量制御信号に応答する可変ラインインピーダンスをさらに備え、前記可変ラインインピーダンスは、少なくとも部分的に前記流量制御信号に基づいて前記注出システムの前記ライン内に流れる内容物の量を調整するように構成される、第１３から２４の態様のいずれか１つ又は複数に記載のシステムである。
本発明の第２６の態様は、
製品注出システムにおいて製品の選択および分配を制御するシステムであって、
選択を促進し及び前記製品を選択するユーザインタフェースと、
前記ユーザインタフェースと通信する機械制御プロセッサーと、
前記機械制御プロセッサーに接続される配電モジュールと、
前記配電モジュールを通して前記システムに電力を供給する電源ユニットとを備える、システムである。
本発明の第２７の態様は、
前記機械制御プロセッサーは、
マイクロプロセッサと、
通信インタフェースとをさらに備える、第２６の態様に記載のシステムである。
本発明の第２８の態様は、
前記機械制御プロセッサーは、前記配電モジュール及び制御論理サブシステムの制御により前記製品の前記分配を制御する、第２６又は２７の態様のいずれか１つ又は複数に記載のシステムである。
本発明の第２９の態様は、
前記配電モジュールは、前記電源ユニットを通して前記機械制御プロセッサーに電力を提供する、第２６から２８の態様のいずれか１つ又は複数に記載のシステムである。
本発明の第３０の態様は、
前記機械制御プロセッサーと前記ユーザインタフェースとの間の前記通信は無線通信である、第２６から２９の態様のいずれか１つ又は複数に記載のシステムである。
本発明の第３１の態様は、
前記機械制御プロセッサーと前記ユーザインタフェースとの間の前記通信は有線通信である、第２６から３０の態様のいずれか１つ又は複数に記載のシステムである。
本発明の第３２の態様は、
製品注出システムから製品の選択および分配を制御する方法であって、
ユーザインタフェース上で前記製品の選択を促進するステップと、
前記ユーザインタフェースから機械制御プロセッサーに前記選択を伝えるステップと、  前記機械制御プロセッサーと製品分配モジュールの制御の下で前記製品を注出するステップとを備える、方法である。
本発明の第３３の態様は、
前記機械制御プロセッサーは、
マイクロプロセッサと、
通信インタフェースとをさらに備える、第３２の態様に記載の方法である。
本発明の第３４の態様は、
前記選択は無線装置から前記ユーザインタフェースに通信される、第３２又は３３の態様のいずれか１つ又は複数に記載の方法である。
本発明の第３５の態様は、
前記無線装置はダウンロードされたアプリケーションを用いて前記ユーザインタフェースから前記製品を選択する、第３２から３４の態様のいずれか１つ又は複数に記載の方法である。
本発明の第３６の態様は、
前記無線装置はスマートフォン、デスクトップコンピュータ、ラップトップコンピュータ、ＭＰ３プレーヤー、及びタブレットコンピュータを含むグループに属する装置である、第３２から３５の態様のいずれか１つ又は複数に記載の方法である。
本発明の第３７の態様は、
前記ユーザインタフェースから前記機械制御プロセッサーへの前記選択の通信は無線通信である、第３２から３６の態様のいずれか１つ又は複数に記載の方法である。